【事件の表示】
　特許第２８９６０８４号「ブラシ」の請求項１ないし２に係る特許に対する特許異議の申立てについて、次のとおり決定する。
【結　論】
　訂正を認める。
　特許第２８９６０８４号の請求項１に係る特許を維持する。
【理　由】
１．手続きの経緯
　本件特許第２８９６０８４号は、平成６年７月８日に特許出願され、平成１１年３月５日に設定登録されたもので、その後申立人ライオン株式会社より特許異議の申立てがなされ、取消理由通知がなされ、その指定期間内である平成１２年５月１５日に訂正請求がなされたものである。
　　　　　　
２．訂正の適否についての判断
ア．訂正明細書の請求項１に係る発明
　訂正明細書の請求項１に係る発明は、その特許請求の範囲の請求項１に記載された次の事項により特定されるとおりのものである。
「【請求項１】金型内にポリプロピレン樹脂が射出されて上面に植毛穴を有する植毛基台部が成形されるとともに、前記植毛穴に毛が植毛されたブラシにおいて、
　前記植毛基台部の上面から下面までの厚さＡに対する前記植毛穴の底面から前記植毛基台部の下面までの厚さＤの割合が０．０４〜０．１６であり、前記厚さＤが０．２〜０．７ミリであることを特徴とするブラシ。」
イ．訂正の目的の適否、新規事項の有無及び拡張・変更の存否
　上記訂正は、設定登録時の明細書の特許請求の範囲の請求項２において、「金型内に樹脂が射出されて」を「金型内にポリプロピレン樹脂が射出されて」と訂正するものに相当する。そして、この訂正に関連する記載として願書に添付した明細書の発明の詳細な説明には、「図１に示す上記歯ブラシ１は、金型（図示せず）内にポリプロピレンを射出して一体成形した所定長さの棒状のブラシ本体２を主体として構成される」（段落番号【0017】）、「射出するポリプロピレンを加熱して（２２０℃）前記金型内に射出する。」（段落番号【0024】）、「〔歯ブラシ本体の成形条件〕樹脂：ポリプロピレン」（段落番号【0026】）と記載されている。
　そうしてみると、上記訂正は、特許請求の範囲の減縮に該当し、新規事項の追加に該当せず、また、実質上特許請求の範囲を拡張し又は変更するものではない。
ウ．独立特許要件の判断
（先願明細書記載の発明）
　訂正明細書の請求項１に係る発明（以下、「本件発明」という。）に対して、当審が通知した取消理由に引用した、本件の出願の日前に出願され本件の出願後に出願公開された特願平５−３１３９６０号（特開平７−１４３９１４号）の願書に最初に添付した明細書又は図面（以下「先願明細書」という。）には、
ａ）「【請求項１】平線により植毛穴に毛束が植設されている頭部と、歯ブラシを把持するための柄部と、頭部と柄部を連結している細長い首部とを有する歯ブラシにおいて、該頭部の厚さが３mm以上、４mm以下であり、植毛穴底から頭部裏面までの長さが０.２mm以上、２.２mm以下であり、植毛穴の深さが１.８mm以上であり、そしてポリアセタ−ル樹脂で成形されていることを特徴とする歯ブラシ。
【請求項３】植毛穴底から頭部裏面までの長さが０.２５mm以上、１.８mm以下である請求項１または２に記載の歯ブラシ。」（特許請求の範囲の請求項１及び３）、
ｂ）「従来、歯ブラシハンドルの材質としてはポリスチレン、アクリロニトリル―スチレン樹脂、ＡＢＳ樹脂等のスチレン系の樹脂が使用されてきた。また最近では、ポリプロピレン………ナイロン等の機械的強度の優れた樹脂も用いられてきている。」（段落番号【00０５】）こと、
ｃ）「本発明の歯ブラシハンドル頭部の厚さは、３mm以上、４mm以下であり、好ましくは３.１mm以上、３.８mm以下である。……本発明の歯ブラシの、植毛穴底から頭部裏面までの長さは、０.２mm以上、２.２mm以下であり、好ましくは０.２５mm以上、１.８mm以下である。０.２mm未満では、頭部の強度が充分でなく、植毛時の頭部の割れ等の原因となる。２.２mmを越えると頭部の厚さが大きくなり、本発明が目的とする快適な使用感を得ることができない。本発明の歯ブラシの植毛穴の深さは、１.８mm以上であり、好ましくは１.９mm以上、特に好ましくは２.０mm以上である。１.８mm未満では、植毛が困難となり、また植毛できた場合にも、毛束の毛立ちにばらつきが生じ好ましくない。」（段落番号【0013】）こと、
ｄ）「本発明の歯ブラシハンドルは、ポリアセタ−ル樹脂を射出成形等公知の方法で成形することにより製造することができ、この歯ブラシ頭部に公知の方法で平線を使用してフィラメントを植毛することにより、歯ブラシとすることができる。」（段落番号【0014】）こと、
ｅ）「図１に示す形状の頭部の厚さ３.５mmの歯ブラシハンドルを実施例１と同様にして、ポリプロピレン、ＰＥＴ　ＰＣＴ　コポリエステル、セルロース樹脂およびポリアセタ−ルを用いて射出成形した。」（段落番号【0018】）こと、
ｆ）「実施例１と同様に、図１に示した形状および図４の植毛穴の配置を有する歯ブラシであって、その頭部の厚さが２.６、３.０、３.５および４.０mmであって、その各々について、表４に示す植毛穴底から頭部裏面までの長さを有する歯ブラシ本体を、ポリアセタール樹脂で射出成形した。そしてこれら歯ブラシ本体に、実施例１と同様に植毛試験を実施した。このときの歯ブラシ頭部の異常の有無および植毛性について評価を行った。その評価結果を表４に示す。表中、Ｔは歯ブラシ頭部の厚さ（mm）、Ｌは植毛穴底から頭部裏面までの長さ（mm）を表わす。」こと、また【表４】には、縦軸にＴ（mm）として２.６、３.０、３.５、４.０を、横軸にＬ（mm）として０.１６、０.２、０.６、１.０、１.４、１.８、２.２、２.３をとり、「歯ブラシ頭部の厚さＴに対する植毛穴底から頭部裏面までの長さＬを変えて植毛試験を実施したときの歯ブラシ頭部の異常および植毛性についての評価結果」（段落番号【0032】、【0033】）が記載されている。
（対比、判断）
　本件発明と先願明細書記載の発明とを対比すると、先願明細書記載の「歯ブラシ頭部及び歯ブラシハンドル頭部」、「植毛穴」、「毛束及びフィラメント」、「植毛穴底」は、その機能に照らして本件発明の「植毛基台部」、「植毛穴」、「毛」、「植毛穴の底面」に相当する。また先願明細書の【表４】には、「縦軸にＴ（mm）として２.６、３.０、３.５、４.０を、横軸にＬ（mm）として０.１６、０.２、０.６、１.０、１.４、１.８、２.２、２.３をとり、「歯ブラシ頭部の厚さＴに対する植毛穴底から頭部裏面までの長さＬを変えて植毛試験を実施したときの歯ブラシ頭部の異常および植毛性についての評価結果」が記載され、さらに先願明細書の段落番号【0013】の記載からみて、植毛穴底から頭部裏面までの長さ、すなわち植毛穴の底面から植毛基台部の下面までの厚さが０.２mm〜０.７mmを含んで採用することが記載されている。
　しかしながら、先願明細書の上記【表４】及び段落番号【0013】に記載の事項は、歯ブラシハンドルの成形材料としてポリアセタ−ル樹脂を用いたものであって、先願明細書の段落番号【0005】に記載されているように植毛基台部を含む歯ブラシハンドルの成形材料としてポリプロピレンを用いることが知られたものであるとしても、先願明細書には、ポリプロピレン樹脂が射出されて植毛基台部が成形されたものにおいて、「前記植毛基台部の上面から下面までの厚さＡに対する前記植毛穴の底面から前記植毛基台部の下面までの厚さＤの割合が０．０４〜０．１６であり、前記厚さＤが０．２〜０．７ミリである」点について記載されているとは認められない。
　してみると、本件発明が、先願明細書に記載されたものであるとはいえない。
  したがって、本件発明は、特許出願の際独立して特許を受けることができるものである。
（むすび）
　以上のとおりであるから、上記訂正は、特許法第１２０条の４第２項、及び同条第３項で準用する第１２６条第２項乃至第４項に適合するので、当該訂正を認める。
　　　　　　　　
３．特許異議申立てについての判断
ア．申立て理由の概要
　特許異議申立人ライオン株式会社は、本件請求項１及び２に係る発明は、甲第１号証（特願平５−３１３９６０号（特開平７−１４３９１４号）の願書に最初に添付した明細書及び図面）に記載された発明であるから特許法第２９条の２に該当する、また本件請求項１に係る発明は、甲第２号証（実開昭５０−１３５３６６号公報）及び甲第３号証（実開昭５０−３７７５号公報）に記載された発明であるから特許法第２９条第１項第３号に該当する。したがって、上記各発明に係る特許は、いずれも同法第１１３条第２号により取り消されるべきものである、と主張している。
イ．判断
　甲第１号証には、上記「２．ウ．」で記載した発明が記載され、また「２．ウ．」で記載したとおり、本件発明が、甲第１号証に記載された発明であるとすることができない。
　また、甲第２号証及び甲第３号証には、歯ブラシの側面図等が記載されている。しかしながらこれら図面は、願書に添付した図面であって考案を理解するためのものであり設計図面のように精緻なものではないから、上記図面からは、植毛基台部の上面から下面までの厚さに対する植毛穴の底面から植毛基台部の下面までの厚さの割合及び植毛穴の底面から植毛基台部の下面までの具体的な厚さが把握できるものではない。したがって、甲第２号証及び甲第３号証には、本件発明の構成要件であるところの「前記植毛基台部の上面から下面までの厚さＡに対する前記植毛穴の底面から前記植毛基台部の下面までの厚さＤの割合が０．０４〜０．１６であり、前記厚さＤが０．２〜０．７ミリである」点について記載されているとは認められず、またこの点を示唆するものでもない。
　そして、本件発明は、上記構成を具備したことにより明細書記載の格別の作用、効果を奏するものと認められる。
　したがって、本件発明が、甲第２号証又は甲第３号証に記載されたものであるとも、また甲第２号証、甲第３号証記載の発明に基づいて容易に発明をすることができたものであるとも認めることができない。
ウ．むすび
　以上のとおりであるから、特許異議申立ての理由及び証拠によっては本件発明の特許を取り消すことができない。
　また、他に本件発明の特許を取り消すべき理由を発見しない。
　よって、結論のとおり決定する。
【異議決定日】
平成１２年５月３０日（２０００．５．３０）
【訂正の要旨】
　本件訂正の要旨は、特許第２８９６０８４号の明細書を本件訂正請求書に添付した訂正明細書のとおりに訂正するもので、その訂正の内容は、下記訂正事項（ａ）〜（ｉ）のとおりである。
　訂正事項（ａ）特許請求の範囲の請求項１の記載を、
「【請求項１】金型内にポリプロピレン樹脂が射出されて上面に植毛穴を有する植毛基台部が成形されるとともに、前記植毛穴に毛が植毛されたブラシにおいて、
　前記植毛基台部の上面から下面までの厚さＡに対する前記植毛穴の底面から前記植毛基台部の下面までの厚さＤの割合が０．０４〜０．１６であり、前記厚さＤが０．２〜０．７ミリであることを特徴とするブラシ。」
と訂正する。
　訂正事項（ｂ）明細書の段落番号【００１１】の記載を、
「本発明は、上記の知見に基づいてなされたもので、金型内にポリプロピレン樹脂（以下、樹脂というときにはポリプロピレン樹脂を意味する）が射出されて上面に植毛穴を有する植毛基台部が成形されるとともに、前記植毛穴に毛が植毛されたブラシにおいて、前記植毛基台部の上面から下面までの厚さＡに対する前記植毛穴の底面から前記植毛基台部の下面までの厚さＤの割合が０．０４〜０．１６であり、前記厚さＤが０．２〜０．７ミリであることを特徴とするブラシを提供することにより、上記目的を達成したものである。」
と訂正する。
　訂正事項（ｃ）明細書の段落番号【００１２】の記載を、
「本発明に係るブラシにおいては、植毛基台部の厚さＡに対する植毛穴底厚さＤの割合（Ｄ／Ａ）は、０．０４〜０．１６であり、好ましくは０．０４〜０．１４である。上記Ｄ／Ａが０．０４より小さくなると、樹脂の色が薄い場合には、植毛基台部の下面側から植毛穴底面が透けて見えたり、植毛時に割れが発生したり、さらには、植毛基台部の剛性が低下して、曲がり易くなるからであり、また、０．１６より大きくなると、脱型後の植毛基台部の上面側と下面側の温度差が大きくなるとともに、植毛穴へのブリッスルの植毛に伴う変形応力によるモーメントが大きくなり、植毛基台の変形が許容範囲を超えるからである。」
と訂正する。
　訂正事項（ｄ）明細書の段落番号【００１３】の記載を、
「また、本発明に係るブラシにおける前記植毛穴底厚さＤは、０．２〜０．７ミリであり、好ましくは０．２〜０．６ミリである。上記Ｄが０．２ミリより小さくなると樹脂の色が薄い場合には、植毛基台部の下面側から植毛穴底面が透けて見えたり、植毛時の割れが発生したり、さらには、植毛基台部の剛性が低下して、曲がり易くなるからであり、０．７ミリより大きくなると脱型後の植毛基台部の上面側と下面側の温度差が大きくなるとともに、植毛穴へのブリッスルの植毛に伴う変形応力によるモーメントが大きくなり、上記植毛基台部の変形が許容範囲を超えるからである。」
と訂正する。
　訂正事項（ｅ）明細書の段落番号【００１４】の記載を、
「本発明のブラシにおいては、前記植毛基台部の厚さＡに対する前記植毛穴底厚さＤの割合が０．０４〜０．１６であるので、上記植毛基台部の成形工程における冷却の際に、その上面側と下面側の温度差が小さく抑えられて冷却されるとともに、植毛穴への毛の植毛に伴う変形応力によるモーメントが小さく抑えられる。」
と訂正する。
　訂正事項（ｆ）明細書の段落番号【００１５】の記載を、
「本発明のブラシにおいては、前記植毛穴の底面から前記植毛基台部の下面までの厚さＤが０．２〜０．７ミリであり、また、前記植毛基台部の厚さＡに対する前記植毛穴底厚さＤの割合が０．０４〜０．１６であるので、上記作用同様に上記植毛基台部の成形工程における冷却の際に、上面側と下面側の温度差が小さく抑えらるとともに、植毛穴への毛の植毛に伴う変形応力によるモーメントが小さく抑えられる。」
と訂正する。
　訂正事項（ｇ）明細書の段落番号【００３７】の記載を、
「また、植毛穴の断面形状、間隔等についても、上記の歯ブラシ１の態様に限られるものではなく、目的とするブラシの態様に応じ、本発明の作用効果が奏される範囲において、適宜変更できることはいうまでもない。」
と訂正する。
　訂正事項（ｈ）明細書の段落番号【００３８】の記載を、
「　【発明の効果】
　本発明のブラシによれば、以下の効果を奏することができる。
　すなわち、成形工程及び植毛工程における植毛基台部の変形及び割れの発生が抑えられ、高速成形が可能であるので、生産効率を高めることができるとともに、植毛強度の高いブラシを提供することができる。」
と訂正する。
　訂正事項（ｉ）明細書の段落番号【００３９】の記載を、
「また、本発明のブラシは、特に小型のブラシとして好適である。」
と訂正する。
（５４）【発明の名称】
ブラシ
（５７）【特許請求の範囲】
　【請求項１】　金型内
にポリプロピレン樹
　前記植毛基台部の上面から下面までの厚さＡに対する前記植毛穴の底面から前記植毛基台部の下面までの厚さＤの割合が０．０４〜０．１６であ
り、前記厚さＤが０．２〜０．７ミリであ
【発明の詳細な説明】
　【０００１】
　【産業上の利用分野】
　本発明は、植毛基台部に毛が植毛されたブラシに関する。
　【０００２】
　【従来の技術及び発明が解決しようとする課題】
　周知のように、歯ブラシ、ヘアブラシ等のような植毛基台部に毛が植毛されたブラシは、下記の成形工程▲１▼及び植毛工程▲２▼の主工程を経て製造されている。
　▲１▼複数の植毛穴を有する植毛基台部と、柄部とを有するブラシ本体を、多数個取り金型内に樹脂を射出して一体成形する。
　▲２▼そして、前記植毛穴に毛（以下「ブリッスル」という）を束にしたブリッスル束を、金属製の止め具（以下「平線」という）とともに打ち込み嵌合して植毛する。
　【０００３】
　ところで、上記従来のブラシの製造方法においては、上記主工程において以下の問題が生じることが知られている。
　（１）　成形工程における冷却による熱収縮に起因する植毛基台部３’の変形（図４（ａ）参照）。
　（２）　植毛工程での植毛（平線の嵌合）による変形応力に起因する植毛基台部３’の変形（図４（ｂ）参照）及び割れ。
　【０００４】
　上記（１）の問題点は、冷却時間を短縮した高速成形により生産効率を向上させる場合に特に重要であり、また、上記（２）の問題点は、高い植毛搬を得る場合に重要となる。
　【０００５】
　そして、上記（２）の問題点を解決するものについては、歯ブラシとして、実開平５−６８３２８号公報のものが提案されている。
　【０００６】
　しかしながら、上記歯ブラシは、植毛穴の深さ方向中間部に縮径部を設けることによりブリッスルを圧密状に保持するものであるため、該歯ブラシを成形する際に用いる金型のうち、植毛穴を形成するピンの構成が複雑とならざるを得ず、必ずしも得策ではなかった。また、上記歯ブラシは、上記（１）の問題点、即ち成形品の熱収縮に起因する植毛基台部の変形の発生を抑えるものではない。
　【０００７】
　本発明の目的は、成形工程及び植毛工程における植毛基台部の変形及び割れの発生が抑えられるとともに、高速成形が可能で、且つ植毛弓鍍の高いブラシを提供することにある。
　【０００８】
　【課題を解決するための手段】
　そこで、本発明者（ら）は、上記問題点（１）及び（２）について、
　ブリッスル径、一植毛穴当たりのブリッスル本数、植毛穴径、植毛穴底面から植毛基台下面までの厚さ（以下、「植毛穴底厚さ」という）、植毛基台部の上面から下面までの厚さ（以下、「植毛基台部の厚さ」という）、植毛穴の間隔、平線の形状（幅、厚さ、高さ）等の観点から種々検討した結果、
　特に、植毛基台部の厚さ及び植毛穴底面から植毛基台部下面までの厚さが上記問題を解決するものとして重要であるとの知見を得た。
　【０００９】
　即ち、上記（１）の問題点は、主として成形品の植毛基台部の上面側（植毛穴が形成されている）と下面側の取り出し温度の違い（下面側に比べて上面側が早く冷却される）よる熱収縮差に起因するものである。したがって、この問題を解決するには、植毛基台部の厚さ及び植毛穴底厚さを所定の範囲内にすることにより上記植毛基台部の上面側と下面側の熱収縮差を小さく抑えることが効果的である。
　【００１０】
　また、上記（２）の問題点は、図５に示すように、主として平線６’の植毛穴５’への嵌合に伴う変形応力（平線６’自身（図５（ａ））及びブリッスル４’を介して（図５（ｂ））働く）Ｆが植毛穴５’の内面に作用することに起因するものである。したがって、この問題を解決するには、植毛基台部３’の厚さＡ’及び植毛穴５’の植毛穴底厚さＤ’を所定の範囲内にすることにより変形応力の支点と作用点の距離を短くして上記変形応力ＦによるモーメントＭを小さく抑えることが効果的である。
　【００１１】
　本発明は、上記の知見に基づいてなされたもので、金型内
にポリプロピレン樹脂（以下、樹脂というときはポリプロピレン樹脂を意味する）が
り、前記厚さＤが０．２〜０．７ミリであ
　【００１２】
　本発明に係るブラシにおいては、植毛基台部の厚さＡに対する植毛穴底厚さＤの割合（Ｄ／Ａ）は
、０
であり、
　【００１３】
　また、本発明に係るブラシにおける前記植毛穴底厚さＤは
、０
であり、
　【００１４】
　【作用】
　本発明
のブ
　【００１５】
　本発明
のブ
　【００１６】
　【実施例】
　以下、本発明の実施例を添付図面を参照しながら詳細に説明する。
　図１および図２は、本発明に係るブラシの一実施例である歯ブラシを示すものである。なお、図１において、符号１は歯ブラシを示している。
　【００１７】
　図１に示す上記歯ブラシ１は、金型（図示せず）内にポリプロピレンを射出して一体成形した所定長さの棒状のブラシ本体２を主体として構成されるとともに、該ブラシ本体２の先端部の植毛基台部３に複数のブリッスル（毛）束４が所定の位置に植毛されたものである。
　【００１８】
　上記植毛基台部３は、外観偏平形状に成形されており、その上面３ａには、平断面略円形状の植毛穴５が植毛基台部３の長さ方向に沿って２および４列形成されている。また、これらの植毛穴５は、その直径が所定の深さから底方向に向けて先細るように形成されている。（図２参照）。
　【００１９】
　また、図２に示すように、上記植毛穴５内には、複数のブリッスル４ａを束にした上記ブリッスル束４（図２では一本のブリッスルのみ表示）が、板状の平線６とともに打ち込まれて嵌合されている。
　【００２０】
　なお、本実施例の上記歯ブラシ１の寸法形状（及び金型寸法）は、表１（Ｎｏ．１，Ｎｏ．２）に示す値に設定されており（寸法位置は図３参照），、植毛基台部３の厚さＡはＮｏ．１では４．６２ミリ、Ｎｏ．２では４．６１ミリ（金型寸法Ｎｏ．１，Ｎｏ．２とも４．６５ミリ）に、また、各植毛穴５の底面５ｂから前記植毛基台部３の下面３ｂまでの厚さ（以下「植毛穴底厚さ」という）ＤはＮｏ．１では０．４３ミリ（金型寸法０．４１ミリ）、Ｎｏ．２では０．６４ミリ（金型寸法０．６１ミリ）に設定されている（前記植毛基台部３の厚さに対する植毛穴底厚さの割合Ｄ／ＡはＮｏ．１では０．０９、Ｎｏ．２では０．１４）。
　【００２１】
　【表１】
　【００２２】
　上記の歯ブラシ１においては、植毛基台部３の厚さＡに対する植毛穴底厚さＤの割合が０．０４〜０．１６であり、また、植毛穴底厚さＤが０．２〜０．７ミリであるので、上記植毛基台部３の冷却の際にその上面３ａ側と下面ｂ側の温度差が小さく抑えられて冷却されるとともに、植毛穴５へのブリッスル束４の植毛に伴う変形応力によるモーメントが小さく抑えられる。
　【００２３】
　次に、本実施例の上記歯ブラシ１を製造する方法について具体的に説明する。
　【００２４】
　まず、上記ブラシ本体２を成形するための所定形状の多数個取り金型（寸法位置は図３、寸法は表１（Ｎｏ．１）参照）を冷却水（２０℃）で冷却するとともに、射出するポリプロピレンを加熱して（２２０℃）前記金型内に射出する。
　【００２５】
　次に、上記射出工程の終了後、所定の圧力を所定時間かけることにより、樹脂が冷却されて収縮した体積を補うとともに、さらに所定時間金型内で保持して冷却を行い、柄部の最肉厚部分が所定温度（１００℃〜１５０℃）まで冷却されたところで金型から取り出す。この時の植毛基台部の取出温度は、３０℃〜５０℃となる。特に高速条件で成形して取出温度が高くなる場合（１５０℃前後）には、柄部の変形を防止するために、水冷や空冷等の後冷却を行ってもよい。そして、得られたブラシ本体２の植毛基台部３の各植毛穴５に、ブリッスル束４を、平線６とともに打ち込んで嵌合する。本実施例の成形工程及び植毛工程の条件は、以下に示す通りである。
　【００２６】
　〔歯ブラシ本体の成形条件〕
　樹脂：ポリプロピレン
　樹脂温度：２２０℃
　金型冷却水温度：２０℃
　冷却時間（保圧時間＋金型内保持時間）：１５秒〜３０秒
　【００２７】
　〔ブリッスルの植毛条件〕
　ブリッスル径：０．２３ミリ
　ブリッスル本数：１７本
　平線の形状：２ミリ×１．２ミリ×０．２５ミリ
　植毛穴底面と平線の間隔（平線の打ち込み深さ）：０．７ミリ
　【００２８】
　特に、上記（１）の問題点が顕著に表れるのは、上記冷却時間が１５秒〜３０秒の高速成形条件の場合である。
　【００２９】
　次に、上記成形工程によって成形されたブラシ本体２の成形後における植毛基台部３の変形量（図４（ａ）参照、）を調べるとともに、ブラシ本体２にブリッスル束４を植毛した歯ブラシ１における植毛基台部３の変形量（図４（ｂ）参照）及び割れを調べ、さらに歯ブラシ１の植毛強度を調べた。なお、比較例として植毛基台部の厚さを略一定とし、植毛穴底厚さ（金型の植毛穴を形成するピンの長さ）を変化させて（表１Ｎｏ．３，４参照）成形体を作成するとともに、ブリッスル束４の植毛を行い、本実施例の歯ブラシ本体２及び歯ブラシ１と同様の評価を行った。評価方法は、以下に示すとおりである。そして、これらの評価の結果を表２にまとめて示した。
　【００３０】
　〔成形工程および植毛工程における変形量〕
　レーザー測長器を走査して、歯ブラシの下面側の形状を測定して、植毛基台部の曲がりのない部分から補助線を引き、植毛基台部先端の変形量を算出した。（図４参照）
　【００３１】
　〔植毛強度の評価方法〕
　植毛穴一穴からブリッスルを一本を引張り、ブリッスルがずれはじめる時の引張荷重を測定し（測定回数１４０回＝２８穴×５本）その平均値を求めてずれ強度とするとともに、そのうちのずれ強度の値が２２９ｇｆ以下となる割合を算出することにより評価した。
　【００３２】
　【表２】
　【００３３】
　植毛前の変形に関しては、表２に示すように、本成形条件が高速成形条件の場合であるので、Ｄ／Ａ＝０．２４（Ｎｏ．３）の場合には、植毛基台部先端が下面側に反る現象が見られた。
　一方、Ｄ／Ａが０．１８以下の場合には、植毛基台部先端が、上面側に反る現象が見られた。（表２の変形量において、植毛基台部先端が上面側に反る場合をプラス、下面側に反る場合をマイナスと表示した。）
　【００３４】
　植毛後の変形に関しては、Ｄ／Ａの値が小さくなるほど、植毛基台部先端の反りは、小さくなることが判明した。特にＮｏ．１（Ｄ／Ａ＝０．０９）の場合には、植毛基台部先端の反りは、ほとんど見られなかった。
　さらに、Ｄ／Ａの値が小さくなるほど、植毛強度は増加する傾向が見られ、特に、Ｄ／Ａ＝０．０９（Ｎｏ．１）およびＤ／Ａ＝０．１４（Ｎｏ．２）の場合には、植毛穴の中で、ずれ強度が２２９ｇｆ以下となるものがなくなることがわかった。
　即ち、Ｄ／Ａが０．０４〜０．１６の範囲にあるものは、植毛後の植毛基台部先端の変形量が小さく、かつ植毛強度が高く、そして、植毛穴の中で、ずれ強度が２２９ｇｆ以下となるものがなくなることが判明した。尚、Ｎｏ．１〜４においては植毛における割ればなかった。
　【００３５】
　このように、上記歯ブラシ１によれば、成形工程及び植毛工程における植毛基台部の変形及び割れの発生が抑えられ、高速成形が可能であるので、生産効率を高めることができるとともに、植毛強度の高いブラシを提供することができる。
　【００３６】
　なお、本発明のブラシは上記歯ブラシ１に限られるものではなく、ヘアーブラシ、マスカラ等、植毛基台部に毛を植毛する類のブラシの製造にも適用でき、係る場合にも上記同様の作用・効果を得ることができる。
　【００３７】
　また、植毛穴の断面形状、間
隔等
。
　【００３８】
　【発明の効果】
　本発明のブラシによれば、以下の効果を奏することができる。
　
すなわち
　【００３９】
　
また、本発明のブラシは
【図面の簡単な説明】
　【図１】
　本発明のブラシの一実施例である歯ブラシを示す斜視図である。
　【図２】
　同歯ブラシの植毛基台部内の概略構成を示す拡大図である。
　【図３】
　同歯ブラシの植毛基台部の寸法位置を示す概略図である。
　【図４】
　植毛基台部の変形を示す概略図であり、（ａ）は成形工程後の変形を示す側面図、（ｂ）は植毛工程後の変形を示す側面図である。
　【図５】
　植毛基台部の植毛時の作用応力状態を示す概略図であり、（ａ）は正断面図、（ｂ）は側断面図である。
　【符号の説明】
　１　歯ブラシ（ブラシ）
　３　植毛基台部
　３ａ　上面
　３ｂ　下面
　４　ブリッスル（毛）
　５　植毛穴
　５ｂ　底面
　Ａ　植毛基台部の厚さ
　Ｄ　植毛穴の底面から植毛基台部の下面までの厚さ